(57)【要約】【課題】  巻回作業中に指から滑り落ちても直ちに止まる作業性の良い樹脂製テープを提供すること、加えて、狭い空間でも効率よく巻回できる樹脂製テープを提供すること。【解決手段】  所望の幅と所望の長さの樹脂テープを巻回して構成する樹脂製テープであって、樹脂製テープの幅方向端部の一部に粘着力が弱く剥離が容易な粘着線条線をテープの長手方向に設けたもの。【選択図】図７
2013173904.tif 000002
【特許請求の範囲】
【請求項１】
所望の幅と所望の長さの樹脂テープを巻回して構成する樹脂製テープであって、
樹脂製テープの幅方向端部の一部に粘着力が弱く剥離が容易な粘着線条線をテープの長手方向に設けた樹脂製テープ。
【請求項２】
前記請求項１記載の樹脂製テープにおいて、
前記の粘着力が弱く剥離が容易な粘着線条線は、実質的にテープの全長に亘って設けられているものである樹脂製テープ。
【請求項３】
前記請求項１あるいは請求項２記載の樹脂製テープにおいて、
樹脂製テープは巻き芯を持たないか、あるいは実質的に巻き芯を持たないものである樹脂製テープ。
【請求項４】
前記請求項１乃至請求項３のいずれか記載の樹脂製テープにおいて、
樹脂製テープはキャンバステープである樹脂製テープ。
【請求項５】
巻き芯のあるキャンバステープ等の樹脂製テープを、巻き芯を用いず或いは実質的に巻き芯のない樹脂製テープとして巻き直し、これの幅方向端部の一部を希釈されたゴム系接着剤溶液に浸し、その後乾燥して粘着力が弱く剥離容易な粘着線条体をテープの長手方向に設けるものである樹脂製テープの製造方法。
【請求項６】
前記請求項５記載の樹脂製テープの製造方法において、
前記溶剤は、酢酸ビニール樹脂系溶剤型の接着剤をラッカーシンナーで５倍から１０倍程度に希釈したものである樹脂製テープの製造方法。
【発明の詳細な説明】
【技術分野】
【０００１】  本発明は、主として凍結の虞れのある屋外配管の保温材を固定するための樹脂製テープ及びその製造方法に関するものである。
【背景技術】
【０００２】  給湯装置や冷暖房機器の屋外配管には、保温を目的として発砲ポリエチレンや発泡スチロールなどの保温材が被装されている。従来から、この保温材を配管に固定するため、あるいは紫外線から保護する目的のためにキャンバステープが広く用いられている。
このキャンバステープは保温材に巻回するのであるが、配管と家屋の壁との間が狭いので、巻回作業に多大の労力と時間を要していた。【０００３】  この課題を解決するものとして、キャンバステープを用いないで保温材を配管に固定するものが次の特許文献で提案されている。
【先行技術文献】
【特許文献】
【０００４】
【特許文献１】登録実用新案第３０２４７２２号公報
【発明の概要】
【発明が解決しようとする課題】
【０００５】  特許文献１には、一側に切欠１１を有する切欠筒状に形成された発泡プラスチック製の断熱材本体１と、前記切欠１１を封止し得る糊代部分２１を設けて前記断熱材本体１の外周面１ａに一体化被着された外被２とを有する断熱用パイプカバーの考案が記載されている。【０００６】  しかしながら、この考案に係る断熱材本体１は、サイズの異なる外径の配管には使用できないことは基より、ウレタンフォームやぼろきれ等、形の定まらない材料を保温材とした場合にも適用できないので汎用性に欠けるものであった。【０００７】  このため、断熱材を配管に固定するためには紫外線などに強いビニール製の通称キャンバステープ呼ばれるものが広く使われてきた。
しかし、市販のキャンバステープは、粘着性がないので、巻回作業中に誤って指から滑り落ちるとばらけて遠くまで転がってしまい、その度毎にばらけたテープを取りに行かなければならず、多大な作業ロスを生じていたものである。
特に、屋根や高所での作業の場合は、作業ロスが甚大であることは容易に理解できるところである。【０００８】  その対策として、テープの全片面に糊を付けた粘着テープからなるキャンバステープを用いれば、ばらけて転がる現象は回避されるが、糊を剥がしながら作業しなければならないこと、あるいは他の部位に糊が不用意にくっついたり、粘着テープ同士がくっつき絡み合うことなどで、やはり作業性の低下を招いていたものである。
特に、狭い空間で作業を行うときは、指作業が儘ならず、作業者は、テープの落下、転がりや、くっつきからまる現象は良く経験するところである。【０００９】  又、市販されているキャンバステープは、その外径が、一般的に１０ｃｍ、７．５ｃｍで最小でも５ｃｍ程度である。
配管保温材への巻き付けは、壁との狭い空間を通して行われるため、キャンバステープの外径はできるだけ小径の方が望ましい。
しかし、キャンバステープの中央部には通常外径の半分程度の径を有する硬い巻き芯があるので、巻き芯の外径よりも小さい空間での作業は不可能である。
これを可能にするためには、芯の巻かれたテープを必要な所望の長さに巻きほどき切断して作業をしなければならないという課題を有する。【００１０】  本発明は、上記課題に着目し、巻回作業中に指から滑り落ちても途中で止まる作業性の良いキャンバステープ等の樹脂製テープを提供すること、更には、テープの外径よりも狭い空間でも、空間を通して効率よく巻回できるキャンバステープ等の樹脂製テープを提供することを目的としてなされたものである。
【課題を解決するための手段】
【００１１】  前記目的を達成するための第１の発明は、所望の幅と所望の長さの樹脂テープを巻回してキャンバステープ等の樹脂製テープであって、樹脂製テープの幅方向の一部に粘着力が弱く剥離可能な粘着線を実質的に全長に亘って設けたものであり、第２の発明は、巻き芯のある市販のキャンバステープを、巻き芯を用いず或いは実質的に巻き芯のない樹脂製テープとして巻き直し、この幅方向端部の一部を希釈されたゴム系接着剤溶液に浸し、その後乾燥して粘着力が弱く剥離可能な粘着線を実質的に全長に亘って設けるキャンバステープの製造方法にある。
【発明の効果】
【００１２】  本発明は、上記手段より、巻回作業中に指から滑り落ちても途中で止まるので巻回作業性の良いキャンバステープ等の樹脂製テープを提供することができること、更には、前記に加え、テープの外径よりも狭い空間でも効率よく巻回できるキャンバステープ等の樹脂製テープを簡単な方法で提供することができるものである。
【図面の簡単な説明】
【００１３】
【図１】本発明が適用される家屋状況図。
【図２】同じく家屋の壁とエアコンの室外機の関係を示す図。
【図３】市販のキャンバステープを巻き直すための正面図。
【図４】同じく上面図。
【図５】巻取軸を示す図。
【図６】巻き直したキャンバステープを希釈した接着溶剤液に浸している状態図。
【図７】本発明で得られたキャンバステープの斜視図（ａ）とテープを引き出している状態斜視図（ｂ）を示す図。）。
【図８】市販のキャンバステープの斜視図。
【図９】キャンバステープを重ねて巻装した状態を示す図。
【発明を実施するための形態】
【００１４】  以下本発明の一実施の形態について説明する。
図１は家屋とエアコンの設置状態を示している。
１は家屋を示し、２は家屋の壁の横に設置された給湯機やエアコンの室外機を示す。
通常、室外機２は、屋根のひさしの下で、特に雨に対する保護のためできるだけ家屋の壁に近接して設置するようにしている。
この室外機２は室内の機器と配管３によって接続されており、所定の機能を発揮するように構成されている。
【００１５】  配管には、特に冬季の凍結を防止するために、図２のように配管の周りに発泡スチロールや発泡ウレタンなどで形成された断熱材４を被挿したり、又は、巻き付けられており、更に、この外周にキャンバステープ５を巻き付けて配管３に固定するようになっている。
【００１６】  室外機２は、前述のように、家屋の壁に可及的近接して設置されるので、配管３と壁Ｗの間、配管３と室外機２の間は更に狭い間隔となっている。
配管設備完了後に、更に断熱材４を巻装すると、断熱材４と壁との間隔ｌ１や室外機２との間隔ｌ２が更に狭くなってしまう。
発泡スチロールなどの断熱材４は、断面半円で樋状のものを二つ組み合わせて構成するのが一般的であるが、その外径は高い保温性を得るために１０ｃｍにも達するものもある。
そのため前記間隔ｌ１、ｌ２は、保温材４を取り付けた状態では、結果的に指を通すのも困難な程度の隙間になってしまい、キャンバステープ５の巻装作業に支障をきたす。
【００１７】  一方、従来から使用されている市販のキャンバステープ５１は、図８に示すように、中央部に硬質の紙や合成樹脂製の巻き芯５２にビニールテープを巻装したものである。
外径は５０、７５、１００ｍｍ程度、巻き芯は、それぞれ外径の半分程度であり、テープの幅は略７０ｍｍである。
巻き芯５２の最も小径なものは２５ｍｍであり、指を通すのも難しい空間での巻装作業は困難を伴う。これより狭い間隔では巻き芯を備えたキャンバステープでは巻装不可能になる。
【００１８】  このような環境下では、キャンバステープを任意の長さだけ引きはがして切断し、巻き芯を使用しないで巻装する方法がとられる。粘着糊のあるキャンバステープの場合は、テープ同士が不用意に接着し、作業に困難を極めている。
又、巻かれたテープを巻き芯ごと径方向に潰すことを試行してみたが、巻き芯が、予想以上硬いので潰すことが困難であった。
【００１９】  又、粘着性を有さない場合、作業中にキャンバステープが指から滑り落ちると遠くまでばらけて転がってしまい、作業の大きな支障になっていることは課題でも述べたとおりである。
【００２０】  本発明は、巻回作業中に指から滑り落ちても途中で止まる作業性の良いキャンバステープ等を提供すること、更には、狭い空間でも効率よく巻回できるキャンバステープ等を提供することであり、以下詳細にその構成と製造方法を説明する。
【００２１】  前記の目的を達成するために本発明は市販されているキャンバステープ５１を巻き直して製造することを基本とする。
【００２２】  以下、図３乃至図６に基づいて本発明に係る合成樹脂製キャンバステープの製造方法を説明する。
図３及び図４は巻き直すための簡易的な巻き取り装置を示している。
図において、３１は木板や金属板からなる基台であり、基台３１の上面には市販のキャンバステープ５１を回転自在に支持する支持軸３２と、この支持軸３２を支持する一対の支持板３３を形設している。
【００２３】  一方、この支持軸３２に対して所望の距離だけ離間、且つ、対向して巻取軸３４を回転支持する一対の支持板３５を形設している。巻取軸３４には、図５に示すように、その中央縦方向にテープの端部を挟むためのスリット３６を形成している。
又、この巻取軸３４は、できるだけ細く形成するのが良く、我々の試作では５ｍｍ程度のパイプでも充分に使用できるものであった。
３７は巻取軸３４のスリットを有しない根本部に連結されたハンドルで、３８は、そのハンドル３７に回転自在に設けられた摘みである。
【００２４】  次に巻き取り装置による巻き直しについて説明する。
先ず、任意外径の市販のキャンバステープ５１の巻き芯５２を支持軸３２に被挿し、キャンバステープ５１を回転自在にセットする。
次いで、セットされたキャンバステープ５１のテープを引出し、その先端を巻取軸３４のスリット３６に挟持させればセットが完了する。
【００２５】  この状態において、ハンドル３７を摘み３８により矢印方向に回転させれば、市販のキャンバステープ５１は巻きほぐされつつ巻取軸３４に巻き取られ、再巻き取りが完了する。
巻き取りが終了した後にキャンバステープを巻取軸３４から取り外せば、巻き芯を持たない新しいキャンバステープ５ができる。巻き取軸はハンドルの代わりに電動機で回転することができ、これは任意に選択できる事項である。
【００２６】  一方、数ミリ径の巻取軸３４を別途用意して、これにテープを巻くことも考えられ、これは実質的に巻き芯なしと同様である。巻き芯無しとは、従来から市販されている外径の半分程度の巻き芯を備えないことを意味するものである。
前記の再巻き取りは、できるだけテンションは掛けずに、ふっくらとした巻き取りが理想的である。
テンションを掛けてきつく巻くと、キャンバステープを巻取軸から外すのが困難になるのと、弱い接着性を有する後述の溶液の侵入を妨げるからである。
【００２７】  このように巻き直した新規のキャンバステープは巻き芯を持たないので、径方向に充分に潰すことができ、狭い空間を潰されたキャンバステープを通すことができ、断熱材や保温材の固定作業を容易に行うことができる。
但し、このキャンバステープ５には粘着性を有していないので、作業中に指先から滑り落ちると、ばらけてしまい、キャンバステープ本体が遠くまで転がり逃げてしまう。
特に屋根の上など高所での作業中に落としてしまうと地面まで達し大変である。
【００２８】  そこで本発明では、前記のように巻き直されたテープの一部に弱い接着性の粘着線条部５Ａを設けて、通常の作業には支障がなく、作業中に落としても、途中で止まり、ばらけて遠くに逃げることのないキャンバステープを提供するものである。
この課題を解決するために、テープの一部に粘着線状部５Ａを設ける装置とその方法を図６に示す。
【００２９】  図において、６１はガラスなど耐化学性の材料で形成された容器であり、この容器６１にはゴム系の接着剤を希釈した弱粘着性の溶液６２が入れられている。
この溶液６２は、テープの性状や粘着力を考慮して種々選択されるが、発明者が試したもので良好なのは次のようなものであった。
【００３０】  この溶液６２の原液は、酢酸ビニール樹脂系溶剤型で、具体的には、コニシ株式会社のコンクリボンド、Ｋ１Ｇ、Ｋ１１０、Ｇ２００２の接着剤をラッカーシンナーで５倍から１０倍に希釈したものである。
【００３１】  この希釈した溶液の中に巻き直したキャンバステープ５の軸方向一方端を浸し、その後乾燥させれば、浸した部分に弱い接着力の粘着線状部５Ａを形成することができる。
発明者の試作によれば、浸漬深さ寸法は約２ｍｍ程度が良く、これにより軸方向、すなわち幅方向端部から２ｍｍ程度の幅の粘着線条部５Ａがテープの全長に亘って形成される。
この接着線条部５Ａの接着力は、原液の希釈程度や接着線状部５Ａの幅、すなわち浸漬深さで自由に調整できる。
【００３２】  溶液の深さｈを予め２ｍｍとしておけば、キャンバステープの一端を容器６１の底面に当接するだけで必然的に粘着線状部５Ａの幅が２ｍｍ程度となることは容易に理解できることであり、これにより粘着線状部の幅を正確、且つ、簡単に調整することができるものである。
【００３３】  前記した巻き直しでテンションを与えず、ふっくらと巻いているので、溶液は巻かれたテープ間に容易に浸透し、所期の接着力を確保することができる。尚、部分的には毛細管現象で浸漬寸法以上に浸透する箇所も見受けられたが、接着力に特段のばらつきは見られなかった。
【００３４】  いずれにしても、接着線条部５Ａの接着力は、簡単に剥がせるもので、現在広く使用されている糊付き付箋紙程度の接着力とするのが使用し易いものであった。
このときの浸漬時間は１秒程度である。
【００３５】  このように実質的に巻き芯を備えず、接着線状部を備えているキャンバステープは、施工する隙間環境に合わせ次に重ねて巻かれるテープに潰して作業することができ、指先から誤って落としても直ちに止まり、床や地面に達する落下は認められなかった。
これはキャンバステープの相当部分の重量を占める巻き芯を除去するか、実質的に使用していないので、キャンバステープが軽くなり、接着線条部５Ａの接着力が糊付き付箋紙程度でも、遠くへの落下が防止されることが確認できた。
【００３６】  発明者が実際作業したところ、１００ｍｍ径で最大重量の市販のキャンバステープを巻き直したものでも、２０〜３０ｃｍ程度のところで落下が停止し、巻回作業に特段の支障は生じないものであった。
巻き直しテープが途中で止まり、その状態を維持していることから、巻回作業を両手で行うことができ、特に、狭い隙間を通しての作業性が格段に向上するものである。
【００３７】  他方、キャンバステープは、その幅方向の端部に重ねて巻回するのが一般的であるが、前述のように粘着線状部５Ａがテープの幅方向端部に設けられているので、粘着線状部５Ａは普通に巻回すれば図９のように粘着線状部の無い部分で覆われることになる。
従って、テープの地色と相違する色、例えば茶色等の粘着線状部であっても巻回完了後のデザイン性を損なうことがないという副次的な効果も得られるものである。
【００３８】  本発明は上記のように構成したので、巻回作業中に指から滑り落ちても直ちに或いは途中で落下が止まる巻回作業性の良いキャンバステープを提供することができること、更には狭い空間でも効率よく巻回できるキャンバステープを簡単な方法で提供することができるものである。
【００３９】  尚、前記実施例の構成や方法は本発明の一実施例を述べたものであり、特許請求の範囲内で種々の代案や変形例が考えられ、これらをも含むことは明らかである。
又、キャンバステープを一例として説明したが、電工工事やそれ以外の用途にも使用できるものである。
【符号の説明】
【００４０】  １…家屋、２…室外機、３…配管、４…断熱材、５…本発明のキャンバステープ、５Ａ…粘着線状部、３１…基板、３２…支持軸、３３…支持板、３４…巻取軸、３５…支持板、３６…スリット、３７…ハンドル、３８…摘み、５１…従来のキャンバステープ、５２…巻き芯、６１…容器、６２…溶液、ｌ１、ｌ２…間隔、ｈ…深さ
【図１】
2013173904.tif 000003
【図２】
2013173904.tif 000004
【図３】
2013173904.tif 000005
【図４】
2013173904.tif 000006
【図５】
2013173904.tif 000007
【図６】
2013173904.tif 000008
【図７】
2013173904.tif 000009
【図８】
2013173904.tif 000010
【図９】
2013173904.tif 000011